(57)【要約】      （修正有）【課題】ノイズ、熱放散効率およびＨＤＤ読み取り／書き込み性能間の問題解決によってハードディスクドライブ性能を向上させる。【解決手段】装置３００は、第１の先端３０１に配置された第１接続部材３４０と第２先端３０２に配置された第２接続部材３４０とを備える。装置は、第１接続部材および第２接続部材の位置で装置内に固定される少なくとも１つのブラケット３３０を備える。ブラケットは、流れガイド凹部３３１Ｎおよび微細孔３３２Ｎを備える。装置は、装置内でブラケットと当接するように構成されたプレート３２０を備える。第１および第２接続部材は、サーバー装置内で装置を接続するように構成される。【選択図】図４Ａ
2019096310.tif 000002
【特許請求の範囲】
【請求項１】
第１の先端および第２の先端と、
前記第１の先端に配置された第１接続部材と、
前記第２の先端に配置された第２接続部材と、
前記第１接続部材および第２接続部材の位置で装置内に固定され、複数の流れガイド凹部および複数の微細孔を備える少なくとも１つのブラケットと、
装置内で前記ブラケットと当接するように構成されたプレート
とを含む装置であって、
前記第１および第２接続部材が、サーバー装置内で前記装置を接続するように構成される装置。
【請求項２】
前記ブラケットが、曲げ、成形および打抜のうちの少なくとも１つを用いて形成される金属シートを備える請求項１記載の装置。
【請求項３】
前記ブラケットが、吸音材料を備える請求項１記載の装置。
【請求項４】
前記第１接続部材および第２接続部材の位置で前記装置内に固定される２つのブラケットをさらに備える請求項１記載の装置。
【請求項５】
前記複数の流れガイド凹部のそれぞれが、ドーム型凹部である請求項１記載の装置。
【請求項６】
前記複数の微細孔が、前記流れガイド凹部内のみに配置される請求項１記載の装置。
【請求項７】
前記複数の微細孔が、多孔質構造を形成するように前記ブラケット全体に配置される請求項１記載の装置。
【請求項８】
前記ブラケットと前記プレートとの間に収容された吸音材料をさらに備える請求項１記載の装置。
【請求項９】
前記複数の流れガイド凹部のそれぞれが、円錐型凹部である請求項１記載の装置。
【請求項１０】
ギャップによって分離された複数のハードディスクドライブを受容するように構成された少なくとも１列のドライブベイと、装置とを備えた演算デバイスであって、前記装置は、
第１の先端および第２の先端、
前記第１の先端に配置された第１接続部材、
前記第２の先端に配置された第２接続部材、
前記第１接続部材および第２接続部材の位置で装置内に固定され、複数の流れガイド凹部および複数の微細孔を備える少なくとも１つのブラケット、および
装置内で前記ブラケットと当接するように構成されたプレート
を含み、
前記第１および第２接続部材が、演算デバイス内で前記装置を接続するように構成される演算デバイス。
【発明の詳細な説明】
【技術分野】
【０００１】
本開示は、サーバー装置内の個々の電子ユニットから発散されるノイズを抑制する装置に関する。
【背景技術】
【０００２】
サーバーシステムの動作は不必要な熱を生み出す。もしサーバーシステムの動作中に生み出された不必要な熱が取り除かれない場合、サーバーシステムの効率が弱められ、次にサーバーシステムが損傷する。一般的には、サーバーシステム内にはファンが設けられ、熱を放散し、サーバーシステムを冷却する。たとえば、サーバーシステムのファンは、米国特許出願番号１４／１４９８３７号に開示されている。
【０００３】
サーバーシステムの動作速度の向上によって、サーバーシステムの動作中に生み出される熱は、大きく増大する。高速のファンが、サーバーシステムによって生み出される不必要な熱を取り除くために導入される。しかしながら、高速のファンによって生じるノイズは一般的なファンよりも大きい。これらの理由に鑑み、コンピュータシステムのノイズ低減および熱放散を同時に行う最善の設計が肝要である。
【０００４】
熱放散の効率を高める方法の１つは、サーバーシステム中の空気流を増加させるかまたは加速することである。しかしながら、空気流が強いほど、乱流となり大きなノイズの後流となり得る。後流は、流体の中を移動する固体の回りの流体の流れによって生じる、固体の下流の乱れた流れの領域である。このように、サーバーシステムの製造者は、ノイズと熱放散効率の間の設計問題に直面している。
【発明の概要】
【０００５】
以下に、本技術の基本的な理解を提供するために、１つまたは複数の実施形態の簡略化した概要を示す。本概要は、本技術の全ての企図された実施形態の広範な概要ではなく、また、全ての実施例の基本的な、または重要な要素を特定するものではなく、また、本技術の任意のまたは全ての態様の範囲を述べるものでもない。唯一の目的は、後述されるより詳細な説明への導入部として、簡略化された形式で１つまたは複数の実施例のいくつかの概念を提供することである。
【０００６】
本開示の実施形態は、演算デバイスにおける複数のファンから起こるノイズを減少させる装置に関する。第１の先端および第２の先端を備える装置が提供される。装置は、また第１の先端に配置された第１接続部材と第２の先端に配置された第２接続部材とを備える。装置は、また第１接続部材および第２接続部材の位置で装置内に固定される少なくとも１つのブラケットを備える。ブラケットは、また流れガイド凹部および微細孔を備える。装置は、また装置内で前記ブラケットと当接するように構成されたプレートを備える。第１および第２接続部材は、サーバー装置内で装置を接続するように構成される。
【０００７】
本開示のいくつかの実施形態において、ブラケットは、曲げ、成形および打抜のうちの少なくとも１つを用いて形成される金属シートで構成され得る。本開示の他の実施形態において、ブラケットは、吸音材料で構成され得る。さらに、装置は、第１接続部材および第２接続部材の位置で装置内に固定される２つのブラケットをさらに備え得る。本開示のいくつかの実施形態において、それぞれの流れガイド凹部が、ドーム型凹部であり得る。本開示のいくつかの実施形態において、微細孔が、流れガイド凹部内のみに配置され得る。本開示の代替の実施形態において、微細孔が、多孔質構造を形成するようにブラケット全体に配置され得る。
【０００８】
本開示のいくつかの実施形態において、装置は、また、ブラケットとプレートとの間に収納された吸音材料を備え得る。本開示のいくつかの実施形態において、流れガイド凹部のそれぞれは、円錐型凹部であり得る。
【０００９】
本開示の実施形態は、複数のファンから起こるノイズを減少させるための演算デバイスに関する。演算デバイスは、ハードディスクドライブを受取るように構成された１列のドライブベイを備える。各ハードディスクドライブは、ギャップで分離され得る。演算デバイスは、装置を備え得る。装置は、第１の先端および第２の先端を備える。装置は、また第１の先端に配置された第１接続部材および第２の先端に配置された第２接続部材を備える。装置は、また第１接続部材および第２接続部材の位置で装置内に固定される少なくとも１つのブラケットを備える。ブラケットは、流れガイド凹部および微細孔を備える。装置は、また装置内でブラケットと当接するように構成されたプレートを含む。第１および第２接続部材は、演算デバイス内で装置を接続するように構成される。
【００１０】
演算デバイスは、また演算デバイス内で複数のハードディスクドライブに対向して配置されたファンモジュールを備え得る。本開示のいくつかの実施形態において、装置は、音波長さが流れガイド凹部内の任意の表面に接触する前に形成されないように、ファンモジュールからの臨界距離内に配置され得る。本開示のいくつかの実施形態において、それぞれの流れガイド凹部は、ハードディスクドライブ間のギャップに配置され得る。
【図面の簡単な説明】
【００１１】
【図１】一実施形態によるハードディスクドライブの空気流を含むサーバー装置の等角図である。
【図２】一実施形態による、システム内における空気力学的ノイズ吸収装置の簡略化したブロック図である。
【図３】一実施形態による、複数の空気力学的ノイズ吸収装置を含むサーバー装置の上面等角図である。
【図４Ａ】一実施形態による、ノイズ、熱放散効率およびＨＤＤの読み取り／書き込み性能間の問題解決によってハードディスクドライブ性能を向上させるための装置の正面等角図である。
【図４Ｂ】一実施形態による、ノイズ、熱放散効率およびＨＤＤの読み取り／書き込み性能間の問題解決によってハードディスクドライブ性能を向上させるための装置の背面等角図である。
【図５】一実施形態による、図４Ａおよび図４Ｂの装置を組み込んだサーバー装置の上面図である。
【図６】一実施形態による、反射されたノイズを例示するサーバー装置内の装置の上面図である。
【図７】一実施形態による、反射されたノイズを例示するサーバー装置内の装置の側面図である。
【図８Ａ】一実施形態による、ファンから直接空気流を受ける装置の上面図である。
【図８Ｂ】一実施形態による、ファンから直接空気流を受ける装置の側面図である。
【図９】一実施形態による、サーバー装置内の装置の上面図である。
【発明を実施するための形態】
【００１２】
本発明は、添付図面を参照して説明され、同様の、または同等の要素を示すために、同様の参照番号が添付図面において用いられる。図面は、一定の比率で描かれたものではなく、本発明を説明するためだけに提供される。本発明のいくつかの態様が、説明のための例示的な適用に関連して以下に説明される。発明の十分な理解を提供するために、多くの特定の詳細、関係および方法が設定されることが理解されるべきである。しかしながら、関連する技術分野における通常の技術を有する当業者は、本発明が１つまたは複数の特定の詳細な説明無しに、またはその他の方法を用いて実施され得ることを直ちに認識するであろう。他の事例では、発明が不明瞭になることを避けるために、周知の構造または操作は詳細に示されない。ある作用は異なる順序で、および／または他の作用または事象と同時に起こる可能性があるので、本発明は、作用または事象の示された順序によって制限されない。さらに、本発明に従って方法を実施するために、示された全ての作用または事象が要求されるわけではない。
【００１３】
前述されたように、サーバーシステム内の構成部品によって生み出される非常に大きな熱を取り除くためには、増加された、または加速された空気流をサーバーシステム内に導入することが一般的である。しかしながら、強い空気流は、より乱流となり、非常に大きなノイズまたは振動をもたらし得る。この増大した振動およびノイズは、ＨＤＤ読み取り／書き込み性能の低下を引き起こし得る。ノイズ、熱放散効率およびＨＤＤ読み取り／書き込み性能のバランスをとるために、本発明の実施形態は、ハードディスクドライブの空気流のための空気力学的ノイズ吸収装置（以下、「装置」という）を提供する。本開示において、ノイズ、熱放散効率およびＨＤＤ読み取り／書き込み性能などの間の問題を解決することによってハードディスクドライブ性能を向上させるために、装置は、吸音する、流れガイド凹部を有する空気力学的装置として機能する。具体的には、流れガイド凹部は、空気流を分断しないように構成され、ストレージアレイモジュールに複数のファンモジュールの遮音壁を提供する。装置は、ノイズ波吸収を最大にするために、複数のファンモジュールからの臨界距離に配置される。
【００１４】
図１は、一実施形態による、空気流５０を例示するサーバー装置１０の上面等角図である。いくつかの実施形態において、サーバー装置１０は、複数のファンモジュール２５０およびストレージアレイモジュール２００を備える。サーバー装置１０は、前端２０および後端３０を備え得る。空気流５０は、複数のファンモジュール２５０を経て、前端２０から後端３０までサーバー装置１０および取り囲まれたストレージアレイモジュール２００を横切り得る。サーバー装置１０は、本明細書中に記載されない他の構成部品を含むことが理解されるべきである。上記の構成部品は、例示のみであって、本開示を制限するものではない。この分野において通常の知識を有する当業者は、本発明に従って他の構成部品を含めることができる。
【００１５】
いくつかの実施形態において、ストレージアレイモジュール２００は、サーバー装置１０内に配置される。ストレージを最大化するために、ストレージアレイモジュール２００は、共に近接して重ねられた複数のストレージアレイ２０１ｎを備え得る。複数のストレージアレイ２０１ｎ間のスペース２０２は、ストレージアレイ２０１ｎの数を最大にするために、非常に小さい。図１では、ストレージアレイモジュール２００は、共に近接して重ねられた１８個のストレージアレイを備え得る。各ストレージアレイは、複数のディスク装置２０３ｎを含む。複数のディスク装置２０３ｎは、ハードディスクドライブ、ソリッドステートディスクドライブ、またはその組み合わせを備え得る。さらに、本発明の目的のために、複数のディスク装置２０３ｎは、本明細書において詳述されない他のドライブ技術を含み得る。図１では、複数のディスク装置は、９０個のハードディスクドライブを含み得る。上記のストレージアレイ（たとえば、１８個）およびディスク装置（たとえば、９０個）の個数は、単なる例示であり、この開示を制限するものではない。この分野において通常の知識を有する当業者は、要求に従って、任意の適切な数のストレージアレイを自在に選択することができる。
【００１６】
サーバー装置１０内の複数のファンモジュール２５０は、平行に配置される。本発明の一実施形態において、複数のファンモジュール２５０は、対流によってストレージアレイモジュール２００を冷却するために、ストレージアレイモジュール２００の近くに配置される。複数のファンモジュール２５０は、前端２０から後端３０までサーバー装置１０を横切る空気対流を高めるために使用される。複数のファンモジュール２５０は、４個の高出力コンピュータデバイスファン（以下、「ファン」と言う）２５１ｎを備え得る。このように、複数のストレージアレイ２０１ｎが共に近接して重ねられているが、各ファン２５１ｎによって発生する空気流５０は、ｘ軸に沿って、サーバー装置１０へ、およびサーバー装置１０から流れる。各複数のファンモジュール２５０の羽根によって発生する後流は、サーバー装置１０の内面および他の構成部品に吹付けられる。送風ポイントが生成され、バンドノイズを生成する音源とみなされる。
【００１７】
結果として、効率を目的として、複数のファンモジュール２５０のそれぞれの回転速度を増大することにより、本実施形態において、ｘ軸に沿って流れる空気流５０が増大する。空気流５０は、複数のストレージアレイ２０１ｎ間のわずかなスペース間を効率的に冷却するために増大する。これにより、複数のファンモジュール２５０がストレージアレイモジュール２００を所望の動作温度に保つことを可能にする。しかしながら、回転速度および流量がより増大するほど、ノイズバンドの周波数がより高くなる。さらに、複数のファンモジュール２５０のそれぞれは、動作中に音が大きくなる。ノイズはファン自身だけではなく、磁極の数、回転数、ファンの羽根およびそれらの組み合わせから生じる。したがって、空気流５０を増大してストレージアレイモジュール２００を冷却するという要求は、ノイズの増加にもつながる。上記のファンの数（たとえば、４個）は、単なる例示にすぎず、本開示を制限するものではないことを理解すべきである。この分野において通常の知識を有する当業者は、本開示にしたがって、ファンの任意の適切な個数を自在に選択することができる。
【００１８】
図２は、サーバー装置１０（図１）内における空気力学的ノイズ吸収装置（以下、「装置」という）３００の簡略化したブロック図である。装置３００は、ストレージアレイモジュール２００の複数のファンモジュール２５０に対する遮音壁を提供する一方で、空気流５０（図１）を分断しないことを可能にする材料を提供する。上述したように、サーバー装置１０によって発生した不必要な熱を取り除くために高速ファンが導入される。しかしながら、高速ファンによって生じるノイズは、一般的なファンよって生じる音よりも大きい。結果として、高速ファンは、高い音圧レベル（ＳＰＬ）を生成し、ＨＤＤ読み取り／書き込み性能の実行が不十分になる。これらの理由に鑑み、コンピュータシステムのノイズ減少および熱分散の最適化設計が肝要である。以下に説明するように、装置３００は、複数のファンモジュール２５０のノイズを軽減するために、音の反射、回折および吸収を提供する。
【００１９】
図３は、複数の装置３００を用いたサーバー装置１０の上面等角図である。いくつかの実施形態において、サーバー装置１０は、サーバー装置１０からの空気流５０（図１）の排出を改善するように、ストレージアレイモジュール２００間の複数のファンモジュール２５０を配向する。この場合、サーバー装置１０は、複数のファンモジュール２５０の両側に配向されたストレージアレイモジュール２００を保護するために複数の装置３００を用いることができる。さらに装置３００は、ストレージアレイモジュール２００の性能を最大限にし、サーバー装置１０からの空気流５０の排出を改善するために、サーバー装置１０内に以下に定義された臨界距離（critical distance）に対して位置づけされ、または再配置され得る。
【００２０】
図４Ａは、ノイズ、熱放散効率およびＨＤＤ読み取り／書き込み性能間の問題解決によってハードディスクドライブ性能を向上させるための装置３００の正面等角図である。図４Ｂは、装置３００の背面等角図である。装置３００は、第１の先端および第２の先端を備える。装置３００は、また、ブラケット３３０、ブラケット３３０に当接するプレート３２０、および例示的なサーバー装置内に装置３００を固定するように構成された接続部材３４０を備える。本明細書に示されるように、装置３００は、対応する複数のプレート３２０を有する複数のブラケット３３０および複数のブラケット３３０を接続する接続部材３４０を備える。プレート３２０は図４Ｂに明瞭に示される。
【００２１】
プレート３２０は、第１および第２の先端３０１および３０２にタブ３２１Ｎを備える。ブラケット３３０は、第１および第２の先端３０１および３０２に開口３３４Ｎを有することができる。開口３３４Ｎは、タブ３２１Ｎに対応し得る。プレート３２０は、タブ３２１Ｎを介してブラケット３３０と接続するように構成される。タブ３２１Ｎは、プレート３２０がブラケット３３０に適切に嵌めこまれることを可能にする。プレート３２０は、また、ガイド孔３２３Ｎを備え得る。プレート３２０は、ガイド孔３２３Ｎにおいて、ねじ、溶接点またはそのたの固定方法によってブラケット３３０に固定され得る。
【００２２】
ブラケット３３０は、流れガイド凹部３３１Ｎを備え得る。いくつかの実施形態では、流れガイド凹部３３１Ｎはドーム型とし得る。代替の実施形態では、流れガイド凹部３３１Ｎは円錐型とし得る。いくつかの実施形態では、ブラケット３３０は、その全表面において微細孔３３２Ｎを備え得る。いくつかの実施形態では、微細孔３３２Ｎは、複数の流れガイド凹部３３１Ｎ内のみに配置されてもよい。ブラケット３３０は、また、接続部材３３３Ｎを備え得る。接続部材３３３Ｎは、サーバー装置内の他の電子部品に装置３００を固定するように構成され得る。
【００２３】
装置３００は、また、第１および第２の先端３０１および３０２に接続部材３４０を備え得る。接続部材３４０は、複数のブラケット３３０を装置３００内で固定するように構成され得る。さらに接続部材３４０は、サーバー装置（図示せず）内で装置３００を固定し得る。接続部材３４０は、開口３４１Ｎを備え得る。開口３４１Ｎは、接続部材３４０をブラケット３３０に固定するために、ねじなどの固定要素を受けるように構成され得る。接続部材３４０は、また、開口部３４３を備え得る。開口部３４３は、サーバー装置内のベースに装置３００を固定するように構成され得る。サーバー装置内に装置３００を固定することは、以下の図５においてより詳細に示される。
【００２４】
ブラケット３３０およびその構成要素は、曲げ、成形および打抜などの従来の金属加工技術を用いて作製され得る。結果として、ブラケット３３０は、非常に安く作製され得る。代替の実施形態において、ブラケット３３０およびその構成要素は、アルミ合金、合金鋼またはそれらの任意の組み合わせで作製され得る。ブラケット３３０およびその構成要素は、変動する温度や高出力ファンからの高速の空気流に耐えるように構成された任意の材料で作製され得る。
【００２５】
いくつかの実施形態では、ブラケット３３０は、ブラケット３３０とプレート３２０との間に吸音材料を収容し得る。代わりに、ブラケット３３０が吸音材料で作製されてもよい。吸音材料は、ガラス、ウール、発泡ウレタンおよび同様の材料を含み得る。かかる材料は、複数の流れガイド凹部３３１Ｎおよび複数の微細孔３３２Ｎの全ての、または一部の材料として適用され得る。吸音材料は、ノイズ減少に関して高効率で実施されるように構成された任意の材料であり得ることが認識されるべきである。上記の材料は、例示のためのみであって、本開示を制限するものではない。この分野において通常の知識を有する当業者は、本開示にしたがって、任意の材料を自在に選択することができる。
【００２６】
図５は、図４Ａおよび図４Ｂの装置３００を組み込んだサーバー装置１０の上面図である。サーバー装置１０は、ベース１２を有し得る。サーバー装置１０は、また、複数のファンモジュール２５０およびストレージアレイモジュール２００を備え得る。装置３００は、複数のファンモジュール２５０とストレージアレイモジュール２００との間に位置付けられ得る。装置３００は、接続部材３４０によってサーバー装置１０内に固定され得る。具体的には、装置３００は、開口部３４３を介してベース１２に固定され得る。いくつかの実施形態では、装置３００は、複数の流れガイド凹部３３１Ｎを備え得る。さらに、複数のファンモジュール２５０は、個々のファン２５１Ｎを備え得る。
【００２７】
流れガイド凹部３３１Ｎは、対応するファン２５１Ｎの真正面に位置付けされ得る。この配向では、それぞれの流れガイド凹部３３１Ｎの間で望ましくない方向に空気流５０が向けられたり、消失することが防がれ得る。結果として、流れガイド凹部３３１Ｎは、ファン２５１Ｎに近接して一直線に位置付けされる。各微細孔３３２Ｎは、ブラケット３３０内に空間的に分散することができ、サーバー装置１０内での空気流５０を可能にする高多孔質材料を作り出す。結果として生じる構成は、サーバー装置１０内での空気流５０を可能にしながら、複数のファンモジュール２５０により生成されるノイズを反射する。
【００２８】
図６は、反射されたノイズを例示するサーバー装置１０内の装置３００の上面図である。上記したように、高出力コンピュータデバイスファン２５１Ｎによって発生したノイズは通常のファンよりも高いノイズを生成する。各ファン２５１Ｎは、ストレージアレイモジュール２００のディスクデバイス２０３Ｎ（図１に示す）のハードドライブ固有周波数とは異なる範囲の翼通過周波数（ＢＰＦ）を有している。いくつかの実施形態では、ハードドライブ固有周波数は、１２００〜２５００（Ｈｚ）の範囲となり得る。ファンの翼通過周波数は、ファンの羽根の数およびシステム内の動作中の１分あたりの回転数に大いに関連する。いくつかの実施形態では、複数のファンモジュール２５０から発生したノイズは、流れガイド凹部３３１Ｎ内で反射され得る。代替の実施形態では、反射されたノイズ４０は、ブラケット３３０内で捕捉され得る。
【００２９】
図７は、反射されたノイズを例示するサーバー装置１０内の装置３００の側面図である。流れガイド凹部３３１Ｎは、反射されたノイズ４０の波を弱め、吸収されたノイズ４１の波を作り出すように構成され得る。反射されたノイズ４０の波の大多数は、ブラケット３３０の流れガイド凹部３３１Ｎ内で吸収される。複数のストレージアレイ２０１Ｎの間のスペース２０２を通過可能な吸収ノイズ４１は少ししかないか、全くない。したがって、流れガイド凹部３３１Ｎの存在によって、装置３００の吸収効率は増加し得る。さらに、スペース２０２に吸収波４１および反射されたノイズ４０が無ければ、ＨＤＤ読み取り／書き込み性能が最大限となる。
【００３０】
図８Ａは、ファン２５１ｎからの直接空気流６０を受ける装置３００の上面図である。図８Ｂは、ファン２５１ｎからの直接空気流６０を受ける装置３００の側面図である。それぞれの流れガイド凹部３３１Ｎは、対応するファン２５１ｎからの空気流６０を受けることが可能である。上記したように、装置３００は、微細孔３３２Ｎを備える。流れガイド凹部３３１Ｎおよび微細孔３３２Ｎは、より低い圧力でより大きな空気流となるように構成され得る。図５および図６において述べられたように、流れガイド凹部３３１Ｎは、圧力を最小にし得る。さらに、微細孔３３２Ｎは、ファン２５１ｎの動作および空気流６０から生じる音波をトラップするように構成され得る。微細孔３３２Ｎは、また、空気力学設計により装置３００が空気流６０をブロックしないことを確実にすることができる。
【００３１】
図８Ｂにおいて示したように、空気流６０は、流れガイド凹部３３１Ｎの表面に沿ってガイドされる。それぞれの流れガイド凹部３３１Ｎが各ファン２５１ｎの前に位置付けられた結果、空気流６０は、それぞれの流れガイド凹部３３１Ｎの間に向けられたり、消失することが防がれる。さらに、流れガイド凹部３３１Ｎは、スペース２０２において各ストレージアレイ２０１Ｎの間に位置付けられてもよい。この実施形態において、空気流６０は、ストレージアレイ２０１Ｎの間のスペース２０２に流れることが防がれる。いくつかの実施形態において、装置３００は、複数のファンモジュール２５０からの計算された距離に位置付けられる。
【００３２】
図９は、本開示の一実施形態に従って、臨界距離を例示するサーバー装置１０内の装置３００の上面図である。いくつかの実施形態において、サーバー装置１０内の装置３００の配置は、複数のファンモジュール２５０から発せられる音波長さに直接影響する。いくつかの実施形態において、臨界距離は、装置３００と複数のファンモジュール２５０との間の距離として定義され得る。具体的には、臨界距離は、最大振幅のノイズ波が生じる最大距離として定義され得る。いくつかの実施形態において、臨界距離は、
【数１】
2019096310.tif 000003
として定義され得る。
【００３３】
上の式において、ｘは装置３００と複数のファンモジュール２５０との間の距離で、ミリメートルで示される。さらに、ｎは、各ファン２５１ｎに組み込まれるファンの羽根の数を示す。上述したように、ファンの翼通過周波数は、ファンの羽根の数および動作中の毎分の回転数に大いに関連している。ｖ値は、毎分あたりの回転数におけるファン速度を示す。いくつかの実施形態において、３６０メートル／秒が標準の音速である。さらに、代表的な高出力コンピュータデバイスファン２５１ｎは、５枚のファンの羽根で、２１６００回転／分で回転可能である。結果として、装置３００と複数のファンモジュール２５０との間の臨界距離は、５０ミリメートルを超えるべきではない。装置３００が臨界距離内に配置される場合、性能低下を起こし得る、ストレージアレイ２０１Ｎの固有周波数を妨害しないようにノイズ波吸収が最大化される。
【００３４】
本発明の種々の実施形態が上述されたが、それらが、例示のみとして、また制限的ではなく提供されていることが理解されるべきである。本発明の精神または範囲から逸脱することなく、本明細書中の開示に従って、開示された実施形態に多くの変更がなされ得る。このように、本発明の広さおよび範囲は、上述の実施形態のいずれによっても制限されるべきものではない。本発明の範囲は、むしろ、以下の請求の範囲およびそれに相当する物に従って定義されるべきである。
【００３５】
本発明は１つまたは複数の実施例に関して示され、説明されてきたが、本明細書および添付の図面を読み、理解すると同時に、当業者には同等の変更および修正を考えつくことであろう。加えて、本発明の特定の特徴が、いくつかの実行の１つのみに関して開示されてきたかもしれないが、かかる特徴は、任意の所定のまたは特定の適用に対して所望され、および有利となり得る他の実行の１つまたは複数の特徴と組み合わされてもよい。
【００３６】
本明細書中で用いられる用語は、特定の実施形態のみを説明するためのものであって、本発明の限定を意図するものではない。本明細書中で用いられるように、単数形の「ａ」、「ａｎ」および「ｔｈｅ」は、文脈上あきらかのそうでない限り、同様に複数形を含むことを意図する。さらに、用語「ｉｎｃｌｕｄｉｎｇ」、「ｉｎｃｌｕｄｅｓ」、「ｈａｖｉｎｇ」、「ｈａｓ」、「ｗｉｔｈ」またはそれらの変形が詳細な説明および／または請求の範囲のいずれかで用いられる範囲まで、かかる用語が、用語「ｃｏｍｐｒｉｓｉｎｇ」と同様に含まれることが意図される。
【００３７】
他に定義されない限り、本明細書中で用いられる全ての用語（技術および科学用語を含む）は、本発明の属する分野における当業者によって通常理解されるのと同じ意味を有する。一般的に使用される辞書に定義されたような用語は、関連する分野の関係における意味に一致する意味を有するように解釈されるべきであり、本明細書に明白に定義されていない限り、観念的な、または過度に形式的な意味で解釈されるものではないとさらに理解されるであろう。
【図１】
2019096310.tif 000004
【図２】
2019096310.tif 000005
【図３】
2019096310.tif 000006
【図４Ａ】
2019096310.tif 000007
【図４Ｂ】
2019096310.tif 000008
【図５】
2019096310.tif 000009
【図６】
2019096310.tif 000010
【図７】
2019096310.tif 000011
【図８Ａ】
2019096310.tif 000012
【図８Ｂ】
2019096310.tif 000013
【図９】
2019096310.tif 000014
【外国語明細書】
2019096310000001.pdf
2019096310000002.pdf
2019096310000003.pdf
2019096310000004.pdf